(57)【要約】【課題】混合装置の攪拌・混合効率をより高いものとすることが可能な容器の蓋及びそれが取付けられた容器並びにその容器を用いた混合方法を提供する。【解決手段】容器２内の被混合物３を容器２ごと回動させることで、被混合物３を混合する混合装置６に用いられる容器２に取付けられる蓋１を、容器２の口部２３に適合した取付部１３と、取付部１３の内方に位置する頂壁１２とをするものとし、頂壁１２に、容器２に取付けられた際に容器２と対向する側に、攪拌手段１１を設け、攪拌手段１１を、蓋１が容器２に取付けられた際に、被混合物３内に位置する様に設ける。【選択図】図２
2020104079.tif 000002
【特許請求の範囲】
【請求項１】
容器に取付可能に設けられた蓋であって、
該容器は、該容器内の被混合物を該容器ごと回動させることで、該被混合物を混合する混合装置に用いられるものであり、
該容器の口部に適合した取付部と、該取付部の内方に位置する頂壁とを有しており、
該頂壁には、該容器に取付けられた際に該容器と対向する側に、攪拌手段が設けられており、
該攪拌手段は、該蓋が該容器に取付けられた際に、該被混合物内に位置する様に設けられていることを特徴とする蓋。
【請求項２】
前記攪拌手段は、邪魔板であり、
該邪魔板は、攪拌部を有しており、
該攪拌部は、前記混合装置により、前記容器を回動する際に、その回動方向と交差する様に設けられていることを特徴とする請求項１に記載の蓋。
【請求項３】
前記邪魔板は、前記頂壁に、複数設けられており、前記攪拌部は、互いに略平行又は筋違いにとなる様に設けられていることを特徴とする請求項２に記載の蓋。
【請求項４】
前記攪拌部は、略矩形、略波形又は略山形に形成されていることを特徴とする請求項２又は３に記載の蓋。
【請求項５】
前記攪拌部には、穴が開けられていることを特徴とする請求項２乃至４の何れかに記載の蓋。
【請求項６】
前記攪拌手段は、可撓部と、該可撓部の先端側に設けられた攪拌部と、を有することを特徴とする請求項１に記載の蓋。
【請求項７】
前記攪拌手段は、略螺旋状の攪拌部を有することを特徴とする請求項１に記載の蓋。
【請求項８】
請求項１乃至６の何れかに記載の蓋が取付けられた容器であって、
略筒状且つ有底の容器本体を、備え、
該容器本体は、前記被混合物が収容されると共に前記口部を有しており、
該口部には、前記取付部を介して該蓋が固定され、
該容器内の被混合物を該容器ごと回動させることで、該被混合物を混合する混合装置に用いられることを特徴とする容器。
【請求項９】
請求項７に記載の容器を用いた混合方法であって、
前記容器本体内に、被混合物を収容するする段階と、
該容器を、振動装置によって振動させながら前記口部に前記蓋を取り付ける段階と、
該蓋を、該口部に固定する段階と、
該被混合物を、該容器ごと回動させる段階と、を含むことを特徴とする混合方法。
【発明の詳細な説明】
【技術分野】
【０００１】
本発明は、容器の蓋及びそれが取付けられた容器並びにその容器を用いた混合方法に関する。
【背景技術】
【０００２】
従来、ペール缶やドラム缶といった筒状の容器を回転させて、該容器内の被混合物を攪拌・混合する装置（以下、混合装置という）がある（引用文献１を参照）。この様な混合装置は、もともと被混合物の保管や搬送に用いる該容器をそのまま利用して、内容物の攪拌・混合が行えるため便利である。
【先行技術文献】
【特許文献】
【０００３】
【特許文献１】特開２００５−５２７３７号公報
【発明の概要】
【発明が解決しようとする課題】
【０００４】
しかしながら、この様な混合装置は、被混合物を容器ごと回転させて攪拌・混合するという性質上、攪拌・混合効率が、それ程優れたものであるとはいえず、主に簡易に混合を行うときに用いられているに過ぎず、その用途が限られているものであった。この様な混合装置の攪拌・混合効率をより高いものとすることができれば、混合装置をより広い用途に用いることが可能となる。
【０００５】
そこで、本発明は、混合装置の攪拌・混合効率をより高いものとすることが可能な容器の蓋及びそれが取付けられた容器並びにその容器を用いた混合方法を提供することを目的とする。
【課題を解決するための手段】
【０００６】
本発明は、容器に取付可能に設けられた蓋であって、該容器は、該容器内の被混合物を該容器ごと回動させることで、該被混合物を混合する混合装置に用いられるものであり、該容器の口部に適合した取付部と、該取付部の内方に位置する頂壁とを有しており、該頂壁には、該容器に取付けられた際に該容器と対向する側に、攪拌手段が設けられており、該攪拌手段又は該攪拌手段は、該蓋が該容器に取付けられた際に、該被混合物内に位置する様に設けられていることを特徴とする蓋である。
【０００７】
又、本発明は、前記蓋が取付けられた容器であって、略筒状且つ有底の容器本体を、備え、該容器本体は、前記被混合物が収容されると共に前記口部を有しており、該口部には、前記取付部を介して該蓋が固定され、該容器内の被混合物を該容器ごと回動させることで、該被混合物を混合する混合装置に用いられることを特徴とする容器である。
【０００８】
又、本発明は、前記容器を用いた混合方法であって、前記容器本体内に、被混合物を収容するする段階と、該容器を、振動装置によって振動させながら前記口部に前記蓋を取り付ける段階と、該蓋を、該口部に固定する段階と、該被混合物を、該容器ごと回動させる段階と、を含むことを特徴とする混合方法である。
【０００９】
尚、本発明は、前記攪拌手段を、邪魔板とし、該邪魔板が、攪拌部を有しており、該攪拌部が、前記混合装置により、前記容器を回動する際に、その回動方向と交差する様に設けることが可能である。又、本発明は、前記邪魔板を、前記頂壁に、複数設け、前記攪拌部を、互いに略平行又は筋違いにとなる様に設けることが可能である。又、本発明は、前記攪拌部を、略矩形、略波形、略山形又は略螺旋形に形成することが可能である。又、本発明は、前記攪拌部に、穴部を開けることが可能である。又、本発明は、前記攪拌手段を、可撓部と、該可撓部の先端側に設けられた攪拌部と、を有するものとすることが可能である。又、本発明は、前記攪拌手段を、略螺旋状の攪拌部を有するものとすることが可能である。
【発明の効果】
【００１０】
本発明は、容器内の被混合物を該容器ごと回動させることで、該被混合物を混合する混合装置に用いられる該容器の蓋の該容器と対向する面に、攪拌手段又は攪拌手段を設けたため、該被混合物を該容器ごと回動させる際に、該攪拌手段又は該攪拌手段によって該被混合物が攪拌又は攪拌されるため、混合効率をより高めることができ、混合装置をより広い用途に用いることを可能とすることができる。
【図面の簡単な説明】
【００１１】
【図１】本発明の第１実施形態の平面図である。
【図２】図１のII−II断面図である。
【図３】本発明の第１実施形態の蓋及びその変形例の縮小底面図であり、（ａ）が第１実施形態の蓋であり、（ｂ）が攪拌部を千鳥型に配設した変形例であり、（ｃ）が攪拌部を筋違いに配設した変形例である。
【図４】本発明の第１実施形態の邪魔板及びその変形例の斜視図であり、（ａ）が第１実施形態の邪魔板であり、（ｂ）が攪拌部を略波型にした変形例であり、（ｃ）が攪拌部を略山形にした変形例である、（ｄ）が攪拌部に穴部を形成した変形例であり、（ｅ）が複数の攪拌部を有する変形例である。
【図５】本発明の第１及び第２実施形態における振動装置の一例を示す図である。
【図６】本発明の第２実施形態を示す図であり、図１のII−II部分断面図に相当する図である。
【図７】本発明の第２実施形態における攪拌手段の変形例を示す図であり、攪拌手段の正面図である。
【図８】本発明の第１及び第２実施形態における混合装置の一例を示す図である。
【発明を実施するための形態】
【００１２】
本発明の第１実施形態を図１乃至図５及び図８に基づき説明する。先ず、本実施形態の構成について説明する。尚、本実施形態において、蓋１及び容器２の上下方向については、蓋１を容器２に取付けた状態で定めるものとし、蓋１側を上と、容器２側を下と定義するものとする。
【００１３】
蓋１は、容器２に取付可能に設けられている。ここで、容器２は、略筒状且つ有底の容器本体２０を有しており、例えば、オープンドラム缶である。容器本体２０は、筒壁２１を有しており、筒壁２１の一端側に底板２２が、その他端に口部２３が設けられており、その内方に被混合物３が収容される。本実施形態において、被混合部３は、例えば、粉粒体等の固体である（以下、本実施形態の被混合物を被混合物３Ｓと表記する）。
【００１４】
又、蓋１は、容器本体２０の口部２３に取付可能に設けられた蓋本体１０及び蓋本体１０に取付可能に設けられた攪拌手段の一例たる邪魔板１１を有している。蓋本体１０は、頂壁１２を有していると共に頂壁１２の縁部１２ａの略全周に亘って耳部１３が設けられている。即ち、頂壁１２は、耳部１３よりも内方に位置していることとなる。
【００１５】
頂壁１２には、その平面側に、嵌着部１２ｂが設けられている。嵌着部１２ｂには、当板１４が嵌め込まれている。又、蓋１には、当板１４及び頂壁１２を貫通する様に設けられた貫通孔１５が複数箇所設けられている。
【００１６】
耳部１３は、蓋１を容器２に取付けるための取付部の一例であり、容器本体２０の口部２３に適合する様に形成されており、口部２３に耳部１３を載置した状態でストッパ４によって口部２３と耳部１３とを挟み込むことで蓋１は容器２に取付けられ、容器２は閉蓋される様になっている。本実施形態において、耳部１３は、容器２の口部２３が丸められえているため、その丸めに合せて断面視略円弧状に形成されている。
【００１７】
邪魔板１１は、略板状の攪拌部１１ａ及び攪拌部１１ａより上方へと延在しているボルト部１１ｂを有している。ボルト部１１ｂは、貫通孔１５を貫通可能な位置に設けられており、ボルト部１１ｂを、攪拌部１１ａが、蓋１を容器２に取付けた際に容器２と対向する頂壁１２の底面側に位置する様に、貫通孔１５に貫通させ、ナット１６により蓋本体１０及び当板１４を挟持することで、邪魔板１１は、蓋本体１０に固定される。本実施形態において、邪魔板１１は、複数設けられていると共に互いに攪拌部１１ａが互いに略平行となる様に並列する様に設けられている。
【００１８】
攪拌部１１ａは、被混合物３Ｓを攪拌し混合するために設けられ、本実施形態においては、蓋１を容器２に取付けた際に、後述する容器２の回動方向Ａと交差する様に設けられている。攪拌部１１ａの形状や大きさ等は適宜選択可能であるが、少なくとも蓋１を容器２に取付けた際に、被混合物３Ｓ中に位置する様な大きさに設けられる。
【００１９】
例えば、攪拌部１１ａの形状としては、本実施形態の様な略板状のもの（図４（ａ）を参照）や、略波形のもの（図４（ｂ）を参照）、略山形（図４（ｃ）を参照）等を採用することが可能である。更に、攪拌部１１ａには、穴部１１ｃを形成することも可能である（図４（ｄ）を参照）。又、その先端側を、略円弧状に丸めてもよく、又、より短くしてもよい。
【００２０】
次に、容器２を用いた被混合物３の混合方法について、被混合物３が粉粒体等の固体である被混合物３Ｓの場合を例に説明する。
（１）容器２の容器本体２０内に被混合物３Ｓを収容しておく。この際、空の容器２に被混合物３Ｓを入れてもよいし、被混合物３Ｓが入っている容器２を入手してきてもよい。
【００２１】
（２）容器２を振動装置５の振動台５０に載置する。載置後、振動台５０を介して振動装置５によって、容器本体２０内の被混合物３Ｓに振動を与えながら、蓋１をガイド５３に沿って容器２の上方より下ろしていき、邪魔板１１の攪拌部１１ａを被混合物３Ｓに差し入れると共に口部２３に蓋１を載置して取付け、その後、ストッパ４で蓋１を容器２に固定する。
【００２２】
ここで、振動装置５は、適宜採用することが可能であるが、例えば、以下の様な構成を備えているものを採用することが可能である。振動装置５は、容器２を載置可能に設けられた振動台５０、振動台５０の振動手段であるバイブレータ５１、バイブレータ５１を補助し、容器２に適切な振動を与えるための弾性体（本実施形態においては、発条５２）を備えている。振動台５０には、容器２に蓋１を取り付ける際に、蓋１の位置がずれない様に補助するガイド５３が取付けられている。尚、バイブレータ５１としては、公知のものが適宜採用することが可能である。
【００２３】
（３）蓋１で閉蓋された容器２を、混合装置６の回動ケージ６２にセットする。容器２を回動ケージ６２ごと回動位置まで移動させ、その後、被混合物３Ｓを容器２ごと回動方向Ａに回動させる。
【００２４】
ここで、混合装置６は、例えば、特開２００４−１２１９６７号公報に記載のものその他を適宜採用することが可能である。例えば、混合装置６は、蓋１により閉蓋された容器２を保持する容器保持部６０と、水平方向の回動軸を形成し、容器保持部６０を水平方向の回動軸を軸として回動可能にする回動軸支部６１とを備えている。回動軸支部６１は、略Ｕ字状の回動ケージ６２の両脚部を外側に軸支して、回動軸支部６１により回動ケージ６２を回動可能としている。又、混合装置６は、回動ケージ６２ごと容器２をリフトアップし、容器２を混合装置６の回動位置（図７中二点鎖線で示した位置）まで移動させるための昇降枠６３と、回動ケージ６２を回動させるための電気モータ（図示せず）が設けられている。
【００２５】
本実施形態の混合方法においては、上記（２）の工程で、振動装置５を用いることで、被混合物３Ｓが固着等していたとしても振動によって該固着等を崩すことができ、スムーズに邪魔板１１の攪拌部１１ａを被混合物３Ｓ内に差し入れることが可能となっている。
【００２６】
又、上記（３）の工程において、蓋１が攪拌手段（本実施形態においては、邪魔板１１）を備えることによって、より効率よく被混合物３Ｓを攪拌・混合することができ、特に、回動方向Ａに交差する様に且つ複数の攪拌部１１ａを並列させることで、攪拌部１１ａによって、持ち上げられた被混合物３Ｓが、攪拌部１１ａにそって段階的に落ちていくことになるので、さらに効率よく被混合物３Ｓを攪拌・混合することができる。
【００２７】
又、この際、攪拌部１１ａに穴部１１ｃが形成されていることによって、一部の被混合物３Ｓが、その下に位置する攪拌部１１ａに落ちる様になるため、更に被混合物３Ｓを攪拌部１１ａに沿って段階的に落とすことが可能となるためさらに効率よく被混合物３Ｓを攪拌・混合することができる。
【００２８】
本発明の第２実施形態を図６乃至図８に基づき説明する。本実施形態と第１実施形態との相違は、蓋１に、攪拌手段として邪魔板１１の代わりにクラッシャーボール１７を用いたことである。第１実施形態と同符号で示した構成については、同実施形態と同様であるので説明を省略する。
【００２９】
本実施形態において、蓋１は、容器本体２０の口部２３に取付可能に設けられた蓋本体１０及び蓋本体１０に取付可能に設けられた攪拌手段の一例たるクラッシャーボール１７を備えている。クラッシャーボール１７は、基部１７ａ並びに基部１７ａに取付けられた可撓部１７ｂ及び可撓部１７ｂの先端側に設けられた攪拌部１７ｃを有している。
【００３０】
基部１７ａには、ボルト部１１ｂが設けられており、第１実施形態の邪魔板１１と同様の方法により蓋本体１０に固定されている。本実施形態においては、攪拌部１７ｃは、突起部１７ｄがその表面に設けられた略球状をしているが、その形状や大きさ等は適宜選択することが可能である。
【００３１】
可撓部１７ｂは、容器２の回動を伴って、攪拌部１７ｃをランダムに被混合物３内で動かし、被混合物３を攪拌するために設けられている。可撓部１７ｂの長さは、適宜選択可能であるが、蓋１を容器２に取付けた際に、少なくとも攪拌部１７ｃが被混合物３内に位置する様な長さに設けられる。本実施形態において、可撓部１７ｂは、鎖状になっているが、可撓部材からなる紐状等、適宜選択することが可能である。
【００３２】
本実施形態において、容器２の容器本体２０内には、液状の被混合物３（以下、本実施形態の被混合物３を被混合物３Ｌと表記する）が収容されおり、被混合物３Ｌの混合方法は、第１実施形態の上記混合方法の内、上記（２）の工程のみが異なっている。即ち、本実施形態においては、被混合物３Ｌが液状であるため、固着等の崩すために振動装置５によって被混合物３Ｌに振動を与える必要がないため、上記（２）の工程において、振動装置５を用いずに蓋１を容器２の口部２３に取付けて、ストッパ４で蓋１を容器２に固定することとなる。
【００３３】
本実施形態においては、上記（３）の工程において、攪拌部１７ｃが、被混合物３を攪拌する様になっているため、より効率よく被混合物３を混合することができ、第１の実施形態と同様の効果を奏することができる。
【００３４】
本発明を、上記実施形態に基づき説明したが、本発明は、上記実施形態に限定されるものではなく、発明の要旨を変更しない範囲で適宜変更可能である。
【００３５】
（ｉ）例えば、第１実施形態において、邪魔板１１の攪拌部１１ａを互いに略平行となる様に並列させたが、略平行を保ちつつ互いに位置をずらす（所謂、千鳥形）にしてもよい（図３（ｂ）を参照）。又、攪拌部１１ａが筋違いになる様にしてもよい（図３（ｃ）を参照）。この様にすることで、穴部１１ｃを形成した場合と同様の効果を得ることが可能となる。
【００３６】
（ii）第１実施形態において、邪魔板１１の攪拌部１１ａは、１の邪魔板１１に対して１つ設けたが、複数の攪拌部１１ａが直列且つ間を開けて連結されるものとしてもよい（図４（ｅ）を参照）。この様にすることで、穴部１１ｃを形成した場合と同様の効果を得ることが可能となる。
【００３７】
（iii）第２実施形態において、攪拌手段として、クラッシャーボール１７を採用したが、螺旋状の攪拌部１８ａを有する攪拌手段１８を採用することも可能である（図７を参照）。この場合において、攪拌部１８ａを先細とし、攪拌手段１８を略ドリル様にすることも可能である。
【００３８】
（iv）第１実施形態の蓋１を、第２実施形態の様な液状の被混合物３Ｌの混合に用いることができ、逆に、第２実施形態の蓋１を第１実施形態の様な固体の被混合物３Ｓの混合に用いることもできる。又、各蓋１を固体の被混合物３Ｓと液状の被混合物３Ｌとの混合にも用いることも可能である。
【００３９】
（ｖ）上記実施形態において、攪拌手段として、略棒状の攪拌部を有するもの（図示せず）を採用することも可能である。
【００４０】
（vi）上記第１実施形態においては、振動装置５と混合装置６とが別々の装置となっているが、混合装置６にバイブレータや振動台等の振動機構を設け、一の装置で上記（２）及び（３）の工程を行うものとすることも可能である。
【符号の説明】
【００４１】
１      蓋                    １０    蓋本体                １１    邪魔板
１１ａ  攪拌部                １１ｂ  ボルト部              １１ｃ  穴部
１２    頂壁                  １２ａ  縁部                  １２ｂ  嵌着部
１３    耳部                  １４    当板                  １５    貫通孔
１６    ナット                １７    クラッシャーボール    １７ａ  基部
１７ｂ  可撓部                １７ｃ  攪拌部                １７ｄ  突起部
１８    攪拌手段              １８ａ  攪拌部                ２      容器
２０    容器本体              ２１    筒壁                  ２２    底板
２３    口部                  ３      被混合物              ４      ストッパ
５      振動装置              ５０    振動台                ５１    バイブレータ
５２    発条                  ５３    ガイド                ６      混合装置
６０    容器保持部            ６１    回動軸支部            ６２    回動ケージ
６３    昇降枠                Ａ      回動方向
【図１】
2020104079.tif 000003
【図２】
2020104079.tif 000004
【図３】
2020104079.tif 000005
【図４】
2020104079.tif 000006
【図５】
2020104079.tif 000007
【図６】
2020104079.tif 000008
【図７】
2020104079.tif 000009
【図８】
2020104079.tif 000010